(57)【要約】【課題】「或る制御手段による制御対象の基本制御」と「他の制御手段による基本制御を修正する修正制御」との制御干渉を抑制すること。【解決手段】この装置は、車両の制御対象の基本制御量を決定するための演算を行う１つ又は複数の第１制御部Ａ１１〜Ａ１ｉを有し前記第１制御部の演算結果に基づいて前記基本制御量を決定する第１制御手段Ａ１を備えた第１制御ユニットＵ１と、前記基本制御量の修正に使用される前記制御対象の修正制御量を決定するための演算を行う１つ又は複数の第２制御部Ａ２１〜Ａ２ｊを有し前記第２制御部の演算結果に基づいて前記修正制御量を決定する第２制御手段Ａ２を備えた前記第１制御ユニットとは独立した第２制御ユニットＵ２とを備える。前記基本制御量に基づく基本制御と前記修正制御量に基づく修正制御とが制御干渉し得る場合、前記第１制御部の全て又は一部の制御機能を停止する。【選択図】図１
2008110708.tif 000002
【特許請求の範囲】
【請求項１】
車両の状態に基づいて、前記車両の制御対象（δｆ，δｒ，Ｔ）の基本制御量（δｆｔ，δｒｔ，Ｔｔ）を決定するための演算を行う１つ又は複数の第１制御部（Ａ１１，Ａ１２，Ａ１３，Ａ１４）を有し前記１つ又は複数の第１制御部の演算結果に基づいて前記基本制御量を決定する第１制御手段（Ａ１，Ａ１Ｔ）を備えた第１制御ユニット（ＥＣＵ１，ＥＣＵ２，ＥＣＵ３）と、
前記車両の状態に基づいて、前記基本制御量の修正に使用される前記制御対象の修正制御量（δｆｃ，δｒｃ，Ｔｃ）を決定するための演算を行う１つ又は複数の第２制御部（Ａ２１，Ａ２２，Ａ２３，Ａ２４）を有し前記１つ又は複数の第２制御部の演算結果に基づいて前記修正制御量を決定する第２制御手段（Ａ２，Ａ２Ｔ）を備えた、前記第１制御ユニットとは独立した第２制御ユニット（ＥＣＵ０）と、
前記基本制御量を前記修正制御量分だけ修正して得られる前記制御対象の目標制御量（(δｆｔ＋δｆｃ)，(δｒｔ＋δｒｃ)，(Ｔｔ＋Ｔｃ)）に基づいて前記制御対象を制御する制御対象制御手段（Ｃ１）と、
前記制御対象が前記修正制御量を利用して修正されている状態である前記第２制御手段の作動状態にあるか否かを判定する判定手段（Ａ２Ｔ）と、
前記第２制御手段の作動状態と判定されている場合、前記１つ又は複数の第１制御部の全ての演算結果を一定に保持する、又はゼロに向けて徐々に戻す制御停止手段（Ｅ１）と、
を備えた車両の制御装置。
【請求項２】
車両の状態に基づいて、前記車両の制御対象（δｆ，δｒ，Ｔ）の基本制御量（δｆｔ，δｒｔ，Ｔｔ）を決定するための演算を行う複数の第１制御部（Ａ１１，Ａ１２，Ａ１３，Ａ１４）を有し前記複数の第１制御部の演算結果に基づいて前記基本制御量を決定する第１制御手段（Ａ１，Ａ１Ｔ）を備えた第１制御ユニット（ＥＣＵ１，ＥＣＵ２，ＥＣＵ３）と、
前記車両の状態に基づいて、前記基本制御量の修正に使用される前記制御対象の修正制御量（δｆｃ，δｒｃ，Ｔｃ）を決定するための演算を行う１つ又は複数の第２制御部（Ａ２１，Ａ２２，Ａ２３，Ａ２４）を有し前記１つ又は複数の第２制御部の演算結果に基づいて前記修正制御量を決定する第２制御手段（Ａ２，Ａ２Ｔ）を備えた、前記第１制御ユニットとは独立した第２制御ユニット（ＥＣＵ０）と、
前記基本制御量を前記修正制御量分だけ修正して得られる前記制御対象の目標制御量（(δｆｔ＋δｆｃ)，(δｒｔ＋δｒｃ)，(Ｔｔ＋Ｔｃ)）に基づいて前記制御対象を制御する制御対象制御手段（Ｃ１）と、
前記制御対象が前記修正制御量を利用して修正されている状態である前記第２制御手段の作動状態にあるか否かを判定する判定手段（Ａ２Ｔ）と、
前記第２制御手段の作動状態と判定されている場合、前記複数の第１制御部のうちの一部であってその演算結果（ＳＧｆ等）に基づく前記制御対象の変化方向が前記１つ又は複数の第２制御部の演算結果（ΔVm_us等）の何れかに基づく前記制御対象の修正方向と逆になり得るもの（Ａ１１等）、の少なくとも１つの演算結果を一定に保持する、又はゼロに向けて徐々に戻す制御停止手段（Ｅ１）と、
を備えた車両の制御装置。
【請求項３】
請求項１又は請求項２に記載の車両の制御装置において、
前記判定手段（Ａ２Ｔ）は、
前記修正制御量（δｆｃ，δｒｃ，Ｔｃ）がゼロからゼロを含む所定範囲外の値に変化した時点から、前記修正制御量が前記所定範囲内に維持される期間が所定期間に達した時点までの間、前記第２制御手段の作動状態にあると判定するように構成された車両の制御装置。
【請求項４】
請求項１又は請求項２に記載の車両の制御装置において、
前記判定手段（Ａ２Ｔ）は、
前記修正制御量（δｆｃ，δｒｃ，Ｔｃ）がゼロを含む所定範囲外であるとき、前記第２制御手段の作動状態にあると判定するように構成された車両の制御装置。
【請求項５】
請求項１又は請求項２に記載の車両の制御装置において、
前記判定手段（Ａ２Ｔ）は、
前記複数の第２制御部のうちの一部であってその演算結果に基づく前記制御対象の修正方向が前記１つ又は複数の第１制御部の演算結果（ＳＧｆ等）の何れかに基づく前記制御対象の変化方向と逆になり得るもの（Ａ２１等）、の演算結果（ΔVm_us等）の少なくとも１つが、ゼロからゼロを含む所定範囲外の値に変化した時点から、同演算結果の少なくとも１つが前記所定範囲内に維持される期間が所定期間に達した時点までの間、前記第２制御手段の作動状態にあると判定するように構成された車両の制御装置。
【請求項６】
請求項１又は請求項２に記載の車両の制御装置において、
前記判定手段（Ａ２Ｔ）は、
前記複数の第２制御部のうちの一部であってその演算結果に基づく前記制御対象の修正方向が前記１つ又は複数の第１制御部の演算結果（ＳＧｆ等）の何れかに基づく前記制御対象の変化方向と逆になり得るもの（Ａ２１等）、の演算結果（ΔVm_us等）の少なくとも１つが、ゼロを含む所定範囲外であるとき、前記第２制御手段の作動状態にあると判定するように構成された車両の制御装置。
【請求項７】
車両の状態に基づいて、前記車両の制御対象（δｆ，δｒ，Ｔ）の基本制御量（δｆｔ，δｒｔ，Ｔｔ）を決定するための演算を行う複数の第１制御部（Ａ１１，Ａ１２，Ａ１３，Ａ１４）を有し前記複数の第１制御部の演算結果に基づいて前記基本制御量を決定する第１制御手段（Ａ１，Ａ１Ｔ）を備えた第１制御ユニット（ＥＣＵ１，ＥＣＵ２，ＥＣＵ３）と、
前記車両の状態に基づいて、前記基本制御量の修正に使用される前記制御対象の修正制御量（δｆｃ，δｒｃ，Ｔｃ）を決定するための演算を行う複数の第２制御部（Ａ２１，Ａ２２，Ａ２３，Ａ２４）を有し前記複数の第２制御部の演算結果に基づいて前記修正制御量を決定する第２制御手段（Ａ２，Ａ２Ｔ）を備えた、前記第１制御ユニットとは独立した第２制御ユニット（ＥＣＵ０）と、
前記基本制御量を前記修正制御量分だけ修正して得られる前記制御対象の目標制御量（(δｆｔ＋δｆｃ)，(δｒｔ＋δｒｃ)，(Ｔｔ＋Ｔｃ)）に基づいて前記制御対象を制御する制御対象制御手段（Ｃ１）と、
前記制御対象が前記第２制御部の演算結果を利用して修正されている状態である前記第２制御部の作動状態にあるか否かを前記各第２制御部のそれぞれについて独立して判定する判定手段（Ａ２Ｔ）と、
前記判定手段の判定結果に基づいて、前記複数の第１制御部の全て、又は前記複数の第１制御部のうちの一部であってその演算結果（ＳＧｆ等）に基づく前記制御対象の変化方向が前記作動状態と判定されている前記第２制御部の演算結果（ΔVm_us等）に基づく前記制御対象の修正方向と逆になり得るもの（Ａ１１等）の少なくとも１つ、の演算結果を一定に保持する、又はゼロに向けて徐々に戻す制御停止手段（Ｅ１）と、
を備えた車両の制御装置。
【請求項８】
請求項７に記載の車両の制御装置において、
前記判定手段（Ａ２Ｔ）は、
前記第２制御部の演算結果（ΔVm_us等）がゼロからゼロを含む所定範囲外の値に変化した時点から、前記演算結果が前記所定範囲内に維持される期間が所定期間に達した時点までの間、前記第２制御部（Ａ２１等）の作動状態にあると判定するように構成された車両の制御装置。
【請求項９】
請求項７に記載の車両の制御装置において、
前記判定手段（Ａ２Ｔ）は、
前記第２制御部の演算結果（ΔVm_us等）がゼロを含む所定範囲外であるとき、前記第２制御部（Ａ２１等）の作動状態にあると判定するように構成された車両の制御装置。
【請求項１０】
請求項１乃至請求項９の何れか一項に記載の車両の制御装置において、
前記制御対象制御手段（Ｃ１）は、前記第１制御ユニット内に備えられた車両の制御装置。
【請求項１１】
請求項１乃至請求項１０の何れか一項に記載の車両の制御装置において、
前記判定手段（Ａ２１Ｔ）は、前記第２制御ユニット内に備えられた車両の制御装置。
【請求項１２】
請求項１乃至請求項１１の何れか一項に記載の車両の制御装置において、
前記制御停止手段（Ｅ１）は、前記第１制御ユニット内に備えられた車両の制御装置。
【請求項１３】
請求項１乃至請求項１２の何れか一項に記載の車両の制御装置において、
前記制御対象は、前輪の操舵角（δｆ）、後輪の操舵角（δｒ）、及びステアリングホイールの操舵トルク（Ｔ）の何れかである車両の制御装置。
【発明の詳細な説明】
【技術分野】
【０００１】
本発明は、車両の制御装置に関する。
【背景技術】
【０００２】
下記特許文献１には、運転者の操舵による操舵トルクに基づいて補助操舵トルクを発生させる補助操舵トルク発生用制御手段（ソフトウエア）と、車両の旋回挙動に応じて同旋回挙動に対する操舵反力を発生させる反力発生用制御手段（ソフトウエア）とを備えた車両用操舵装置が開示されている。
【特許文献１】特開平７−１００２３号公報
【０００３】
この装置では、補助操舵トルク発生用制御手段と反力発生用制御手段とが互いに独立した別個の制御ユニット（ハードウエア）内にそれぞれ備えられていて、反力発生用制御手段の故障が検出されたとき、反力発生用制御手段による前記操舵反力の発生が禁止されるようになっている。
【０００４】
即ち、操舵トルクの制御機能を達成するシステムが、互いに独立した別個の制御ユニット内にそれぞれ備えられた複数の制御手段から構成されている。これにより、センサ等の故障に対して前記システムのロバスト性が向上する。
【発明の開示】
【０００５】
ところで、このように、或る制御対象を制御する制御機能を達成するシステムが複数の制御手段（ソフトウエア）から構成される場合を考える。この場合、「或る制御手段による前記制御対象の基本制御」と「他の制御手段による前記基本制御を修正する修正制御」が干渉する場合がある。
【０００６】
例えば、制御対象が前輪の操舵角である場合において、ステアリングホイールの回転角度と車体速度等から前輪舵角を決定する基本制御に基づく前輪の転舵指示方向と、車両の走行安定性向上のために前輪舵角を修正してカウンタステア操作等を行う修正制御に基づく前輪の転舵指示方向が逆になる場合に基本制御と修正制御とが干渉する。
【０００７】
以下、本明細書では、或る制御に基づく制御対象の変化（指示）方向と他の制御に基づく同制御対象の変化（指示）方向とが逆となることを「制御干渉」と称呼する。本発明の目的は、このような制御干渉の発生を抑制し得る車両の制御装置を提供することにある。
【０００８】
本発明に係る車両の制御装置は、車両の状態に基づいて、前記車両の制御対象の基本制御量を決定するための演算を行う１つ又は複数の第１制御部（ソフトウエア）を有し前記１つ又は複数の第１制御部の演算結果に基づいて前記基本制御量を決定する第１制御手段（ソフトウエア）を備えた第１制御ユニット（ハードウエア）と、
前記車両の状態に基づいて、前記基本制御量の修正に使用される前記制御対象の修正制御量を決定するための演算を行う１つ又は複数の第２制御部（ソフトウエア）を有し前記１つ又は複数の第２制御部の演算結果に基づいて前記修正制御量を決定する第２制御手段（ソフトウエア）を備えた、前記第１制御ユニットとは独立した第２制御ユニット（ハードウエア）と、
前記基本制御量を前記修正制御量分だけ修正して得られる前記制御対象の目標制御量に基づいて前記制御対象を制御する制御対象制御手段（ソフトウエア、（ハードウエア））と、
前記制御対象が前記修正制御量を利用して修正されている状態である前記第２制御手段の作動状態にあるか否かを判定する判定手段（ソフトウエア）と、
前記第２制御手段の作動状態と判定されている場合、前記１つ又は複数の第１制御部の全ての演算結果を一定に保持する、又はゼロに向けて徐々に戻す制御停止手段（ソフトウエア）と、を備えている。
【０００９】
ここにおいて、前記制御対象制御手段は、前記第１制御ユニット内に備えられることが好ましく、前記判定手段は、前記第２制御ユニット内に備えられることが好ましく、前記制御停止手段は、前記第１制御ユニット内に備えられることが好ましい。
【００１０】
前記制御対象は、例えば、前輪の操舵角、後輪の操舵角、及びステアリングホイールの操舵トルク等である。以下、或る制御部の演算結果を一定に保持、又はゼロに向けて徐々に戻すことを、制御部の（制御機能の）「停止」と称呼する。
【００１１】
上記構成によれば、前記第２制御手段の作動状態と判定されている場合、即ち、第１制御手段による制御対象の制御（基本制御）と第２制御手段による制御対象の制御（修正制御）との間で制御干渉が発生し得る場合、基本制御に係わる第１制御部の全てが停止する。即ち、基本制御機能が完全に停止する。従って、基本制御と修正制御との間での制御干渉の発生が抑制され得る。また、制御対象の修正制御機能は継続して確保され得る。なお、本発明では、基本制御に係わる複数の第１制御部と修正制御に係わる複数の第２制御部との間で制御干渉が発生し得る組み合わせが存在していることが前提とされている。
【００１２】
ここで、前記判定手段は、例えば、前記修正制御量がゼロからゼロを含む所定範囲外の値に変化した時点から、前記修正制御量が前記所定範囲内に維持される期間が所定期間に達した時点までの間、前記第２制御手段の作動状態にあると判定するように構成され得る。
【００１３】
これにより、修正制御量が過渡的に極短期間だけ前記微小範囲内の値となる場合（例えば、修正制御量が「０」をまたいで変化する場合等）において、「第２制御手段の作動状態」と判定され続け得る。換言すれば、「第２制御手段の作動状態」と判定されている状態から「第２制御手段の作動状態」でないと一旦判定されその極短期間後に再び「第２制御手段の作動状態」と判定されるような、判定結果が短い時間間隔で不必要に反転する事態が防止され得る。この結果、基本制御と修正制御との間での制御干渉の発生が適切に抑制され得る。
【００１４】
或いは、前記判定手段は、前記修正制御量がゼロを含む所定範囲外であるとき、前記第２制御手段の作動状態にあると判定するように構成され得る。即ち、修正制御量が前記微小範囲内の場合、常に「第２制御手段の作動状態」でないと判定される。しかしながら、この場合、上述したように、修正制御量が過渡的に極短期間だけ前記微小範囲内の値となる場合において、判定結果が短い時間間隔で不必要に反転する事態が発生し得、この結果、基本制御と修正制御との間での制御干渉の発生が適切に抑制され得ない場合が生じ得る。以下、或る制御部の演算結果がゼロからゼロを含む所定範囲外の値に変化した時点から同制御部の演算結果が前記所定範囲内に維持される期間が所定期間に達した時点までの間、或いは、同演算結果がゼロを含む所定範囲外であるとき、同制御部の「作動状態」と称呼する。
【００１５】
また、前記第１制御部が複数存在する場合においては、前記制御停止手段は、前記第２制御手段の作動状態と判定されている場合、前記複数の第１制御部のうちの一部であってその演算結果に基づく前記制御対象の変化方向が前記１つ又は複数の第２制御部の演算結果の何れかに基づく前記制御対象の修正方向と逆になり得るもの、の少なくとも１つを停止するように構成されてもよい。
【００１６】
これによれば、基本制御と修正制御との間で制御干渉が発生し得る場合、基本制御に係わる複数の第１制御部のうち第２制御部の何れかと制御干渉し得るもののみが停止する。換言すれば、基本制御に係わる複数の第１制御部のうち第２制御部の何れかと制御干渉し得ないものは停止しない。従って、制御対象の基本制御機能を或る程度確保しながら基本制御と修正制御との間での制御干渉の発生が抑制され得る。
【００１７】
ところで、修正制御に係わる複数の第２制御部の一部のみが第１制御部の何れかと制御干渉し得る場合も考えられる。この場合、前記判定手段は、前記複数の第２制御部のうちの一部であってその演算結果に基づく前記制御対象の修正方向が前記１つ又は複数の第１制御部の演算結果の何れかに基づく前記制御対象の変化方向と逆になり得るもの、の演算結果の少なくとも１つが、ゼロからゼロを含む所定範囲外の値に変化した時点から同演算結果の少なくとも１つが前記所定範囲内に維持される期間が所定期間に達した時点までの間、或いは、同演算結果の少なくとも１つがゼロを含む所定範囲外であるとき、前記第２制御手段の作動状態にあると判定するように構成されてもよい。
【００１８】
これによれば、修正制御に係わる複数の第２制御部のうち第１制御部の何れかと制御干渉し得るものの少なくとも１つが作動状態にある場合、「第２制御手段の作動状態」と判定される。換言すれば、修正制御に係わる複数の第２制御部のうち第１制御部の何れかと制御干渉し得ないものが作動状態となっても、第１制御部の全て又は一部が停止されない。即ち、制御対象の基本制御機能が不必要に停止・制限される事態が防止され得る。
【００１９】
また、第１制御部及び第２制御部が共に複数存在する場合においては、前記判定手段は、前記第２制御部の作動状態（即ち、前記制御対象が前記第２制御部の演算結果を利用して修正されている状態）にあるか否かを前記各第２制御部のそれぞれについて独立して判定するように構成され、前記制御停止手段は、前記判定手段の判定結果に基づいて、前記複数の第１制御部の全て、又は前記複数の第１制御部の一部であってその演算結果に基づく前記制御対象の変化方向が前記作動状態と判定されている前記第２制御部の演算結果に基づく前記制御対象の修正方向と逆になり得るものの少なくとも１つ、の演算結果を一定に保持する、又はゼロに向けて徐々に戻すように構成されてもよい。
【００２０】
これによれば、修正制御に係わる複数の第２制御部のうちの何れが作動状態にあるかに依存して、同作動状態にある第２制御部と制御干渉し得る第１制御部が、選択的に停止される。従って、上記と同様、制御対象の基本制御機能が不必要に停止・制限される事態が防止され得る。加えて、作動状態にある第２制御部との制御干渉の程度に応じて停止される第１制御部が選択され得る。従って、制御対象の基本制御機能が不必要に停止・制限される事態がより確実に防止され得る。
【発明を実施するための最良の形態】
【００２１】
以下、本発明による車両の制御装置の実施形態について図面を参照しつつ説明する。図１は、この実施形態の機能ブロック図である。図１に示すように、この実施形態は、或る制御対象（第１制御対象、例えば、前輪舵角）を制御するアクチュエータ（ＡＣＴ）１の駆動制御を行うＥＣＵである第１制御ユニットＵ１（ハードウエア）と、他の制御対象（第２制御対象、例えば、車輪の制・駆動力）を制御するアクチュエータ（ＡＣＴ）３の駆動制御を行うＥＣＵである第２制御ユニットＵ２（ハードウエア）とを備えている。第１制御ユニットＵ１と、第２制御ユニットＵ２とは、通信バスで互いに通信可能に接続された別個独立のＥＣＵである。
【００２２】
第１制御ユニットＵ１は、各種センサ信号、通信信号等により得られる車両の（走行）状態に基づいて第１制御対象の第１制御（基本制御）に使用される基本制御量を計算する第１制御手段Ａ１（ソフトウエア）と、第２制御ユニットＵ２から送信される前記基本制御を修正する第２制御（修正制御）に使用される修正制御量と前記基本制御量とを加算（重畳）して第１目標制御量を算出する加算手段Ｂ１（ソフトウエア）と、前記第１目標制御量に基づいてＡＣＴ１へ駆動信号を送出するアクチュエータ駆動処理部Ｃ１（ソフトウエア）と、ＡＣＴ１が正常に作動しているか否かを監視する正常作動監視手段Ｄ１（ソフトウエア）と、後述する制御停止手段Ｅ１（ソフトウエア）とを備える。
【００２３】
第１制御手段Ａ１は、前記基本制御量を計算するための演算を行うｉ個（ｉ：自然数）の第１制御部（第１制御要素、第１制御モード）（第１１制御部Ａ１１、第１２制御部Ａ１２、・・・、第１ｉ制御部Ａ１ｉ）（ソフトウエア）と、第１制御手段Ａ１の制御量（＝基本制御量）を計算する第１制御手段の制御量演算部Ａ１Ｔ（ソフトウエア）とを備えている。
【００２４】
第２制御ユニットＵ２は、各種センサ信号、通信信号等により得られる車両の（走行）状態に基づいて第２制御対象の制御に使用される第２目標制御量を計算する第３制御手段Ａ３（ソフトウエア）と、前記第２目標制御量に基づいてＡＣＴ３へ駆動信号を送出するアクチュエータ駆動処理部Ｂ３（ソフトウエア）とを備える。
【００２５】
第３制御手段Ａ３は、前記第２目標制御量を計算するための演算を行うｋ個（ｋ：自然数）の第３制御部（第３１制御部Ａ３１、・・・、第３ｋ制御部Ａ３ｋ）（ソフトウエア）と、第３制御手段Ａ３の制御量（＝第２目標制御量）を計算する第３制御手段の制御量演算部Ａ３Ｔ（ソフトウエア）を備えている。
【００２６】
第２制御ユニットＵ２は、更に、各種センサ信号、通信信号等により得られる車両の（走行）状態に基づいて前記修正制御量を計算する第２制御手段Ａ２（ソフトウエア）を備えている。第２制御手段Ａ２は、前記修正制御量を計算するための演算を行うｊ個（ｊ：自然数）の第２制御部（第２制御要素、第２制御モード）（第２１制御部Ａ２１、第２２制御部Ａ２２、・・・、第２ｊ制御部Ａ２ｊ）（ソフトウエア）と、第２制御手段Ａ２の制御量（＝修正制御量）を計算する第２制御手段の制御量演算部Ａ２Ｔ（ソフトウエア）とを備えている。ここで、第１制御手段Ａ１の制御量（＝基本制御量）と第２制御手段Ａ２の制御量（＝修正制御量）とは、制御対象が同じ第１制御対象（ＡＣＴ１）であり、同一次元の物理量である。制御量演算部Ａ２Ｔは、この修正制御量を第１制御ユニットＵ１内の加算手段Ｂ１に送信するとともに、後述する制御フラグを第１制御ユニットＵ１内の制御停止手段Ｅ１に送信する。
【００２７】
このように、前記基本制御量に基づく基本制御と前記修正制御量に基づく修正制御とは、制御対象が同じ第１制御対象（ＡＣＴ１）である。基本制御は、第１制御対象（ＡＣＴ１）の通常的な（恒常的な）制御である。修正制御は、例えば、走行中の車両のヨー方向の運動における安定化が必要な場合にのみ前記基本制御量を前記修正制御量で修正することで基本制御を修正する臨時的な制御である。即ち、修正制御量は、通常は「０」であり、例えば、走行中の車両のヨー方向の運動における安定化が必要な場合にのみ「０」以外の値となる。
【００２８】
ここで、基本制御に係わる第１制御手段Ａ１内のｉ個の第１制御部のうちの第１１制御部Ａ１１と、修正制御に係わる第２制御手段Ａ２内のｊ個の第２制御部のうちの第２１制御部Ａ２１との間では、上述した「制御干渉」が発生し得るものとする。この場合における「制御干渉」とは、第１１制御部Ａ１１の演算結果に基づく第１制御対象（ＡＣＴ１）の変化（指示）方向と、第２１制御部Ａ２１の演算結果に基づく第１制御対象（ＡＣＴ１）の修正（指示）方向（修正される第１制御対象（ＡＣＴ１）の変化（指示）方向）とが逆になる現象を意味する。
【００２９】
以下、説明の便宜上、修正制御量が「０」から「０」を含む所定の微小範囲外の値に変化した時点から前記修正制御量が前記微小範囲内に連続して維持される期間が所定期間に達した時点までの期間、或いは、修正制御量が前記微小範囲外にある期間を、第２制御手段の「作動状態」と称呼する。同様に、ｊ個の第２制御部Ａ２１〜Ａ２ｊ内の或る制御部の演算結果が「０」から「０」を含む所定の微小範囲外の値に変化した時点からその制御部の演算結果が前記微小範囲内に連続して維持される期間が所定期間に達した時点までの期間、或いは、その制御部の演算結果が前記微小範囲外にある期間を、その制御部の「作動状態」と称呼する。更には、ｉ個の第１制御部Ａ１１〜Ａ１ｉ内の或る制御部の演算結果を一定に保持、又は「０」に向けて徐々に戻すことを、その制御部の（制御機能の）「停止」と称呼する。
【００３０】
この実施形態では、以下の６通りのパターンの何れか１つを用いて係る制御干渉の発生が抑制される。以下、順に説明していく。
【００３１】
＜パターン１＞
制御フラグは、第２制御手段が「作動状態」にある場合に「１」に、第２制御手段が「作動状態」にない場合に「０」に設定される。制御フラグの値が送信される制御停止手段Ｅ１は、制御フラグが「１」の場合、第１制御部Ａ１１〜Ａ１ｉの全てを「停止」する。即ち、パターン１では、第２制御手段が「作動状態」にある場合、第１制御部の全てが「停止」され、第１制御対象の基本制御機能が完全に「停止」する。これにより、第１制御対象の基本制御と修正制御との間での制御干渉（より具体的には、第１１制御部Ａ１１と第２１制御部Ａ２１との間での制御干渉）の発生が抑制される。なお、第１制御対象の修正制御機能は継続して確保され得る。
【００３２】
＜パターン２＞
制御フラグは、パターン１と同様、第２制御手段が「作動状態」にある場合に「１」に、第２制御手段が「作動状態」にない場合に「０」に設定される。制御停止手段Ｅ１は、制御フラグが「１」の場合、第１制御部Ａ１１〜Ａ１ｉのうち第２１制御部Ａ２１との間で制御干渉が発生し得る第１１制御部Ａ１１のみを「停止」する。即ち、パターン２では、第２制御手段が「作動状態」にある場合、第１制御部のうち第２制御部の何れかと制御干渉が発生し得る部分のみが「停止」される。
【００３３】
換言すれば、第１制御部のうち第２制御部の何れかと制御干渉し得ないものは「停止」されない。従って、第１制御対象の基本制御機能を或る程度確保しながら第１制御対象の基本制御と修正制御との間での制御干渉の発生が抑制される。
【００３４】
＜パターン３＞
制御フラグは、第２制御部Ａ２１〜Ａ２ｊのうち第１制御部の何れかと制御干渉し得るものの少なくとも１つ（本例では、第２１制御部Ａ２１）が「作動状態」にある場合、第２制御手段が「作動状態」にあるものとして「１」に設定され、第２１制御部Ａ２１が「作動状態」にない場合、第２制御手段が「作動状態」にないものとして「０」に設定される。制御停止手段Ｅ１は、制御フラグが「１」の場合、パターン１と同様、第１制御部Ａ１１〜Ａ１ｉの全てを「停止」する。
【００３５】
即ち、パターン３では、第２制御部Ａ２１〜Ａ２ｊのうち第１制御部の何れかと制御干渉し得るものの少なくとも１つが「作動状態」にある場合、第１制御部の全てが「停止」され、第１制御対象の基本制御機能が完全に「停止」する。これにより、第１制御対象の基本制御と修正制御との間での制御干渉の発生が抑制される。加えて、第２制御部Ａ２１〜Ａ２ｊのうち第１制御部の何れかと制御干渉し得ないもの（本例では、第２２制御部Ａ２２、・・・、第２ｊ制御部Ａ２ｊ）が「作動状態」となっても、第１制御部の全てが「停止」されない。即ち、第１制御対象の基本制御機能が不必要に停止・制限される事態が防止され得る。
【００３６】
＜パターン４＞
制御フラグは、パターン３と同様、第２制御部Ａ２１〜Ａ２ｊのうち第１制御部の何れかと制御干渉し得るものの少なくとも１つ（本例では、第２１制御部Ａ２１）が「作動状態」にある場合に「１」に設定され、第２１制御部Ａ２１が「作動状態」にない場合に「０」に設定される。制御停止手段Ｅ１は、制御フラグが「１」の場合、パターン２と同様、第１制御部Ａ１１〜Ａ１ｉのうち第２１制御部Ａ２１との間で制御干渉が発生し得る第１１制御部Ａ１１のみを「停止」する。
【００３７】
従って、パターン４では、パターン２とパターン３の効果が発揮され得る。即ち、第１制御対象の基本制御機能を或る程度確保しながら第１制御対象の基本制御と修正制御との間での制御干渉の発生が抑制され得、且つ、第１制御対象の基本制御機能が不必要に停止・制限される事態が防止され得る。
【００３８】
＜パターン５＞
制御フラグは、第２制御部Ａ２１〜Ａ２ｊのそれぞれについて設けられ、各制御部について、制御部が「作動状態」にある場合に対応する制御フラグが「１」に設定され同制御部が「作動状態」にない場合に「０」に設定される。制御停止手段Ｅ１は、ｊ個の制御フラグの値に基づいて第１制御部Ａ１１〜Ａ１ｉの全てを「停止」する。この場合、例えば、第２制御部Ａ２１〜Ａ２ｊのうち第１制御部の何れかと制御干渉し得るものの少なくとも１つ（本例では、第２１制御部Ａ２１）に対応する制御フラグが「１」の場合、第１制御部Ａ１１〜Ａ１ｉの全てが「停止」される。これにより、パターン３と同様の効果が発揮され得る。
【００３９】
＜パターン６＞
制御フラグは、パターン５と同様、第２制御部Ａ２１〜Ａ２ｊのそれぞれについて設定される。制御停止手段Ｅ１は、ｊ個の制御フラグの値に基づいて、第１制御部Ａ１１〜Ａ１ｉのうち「作動状態」と判定されている第２制御部と制御干渉し得るものを選択的に「停止」する。この場合、例えば、第２１制御部Ａ２１に対応する制御フラグが「１」の場合、第２１制御部Ａ２１との間で制御干渉が発生し得る第１１制御部Ａ１１のみが「停止」される。これにより、パターン４と同様の効果が発揮され得る。加えて、「作動状態」にある第２制御部との制御干渉の程度に応じて停止される第１制御部が選択され得る。従って、第１制御対象の基本制御機能が不必要に停止・制限される事態がより確実に防止され得る。
【００４０】
なお、第２制御手段或いは第２制御部の「作動状態」に対応する期間としては、「修正制御量或いはその制御部の演算結果が前記微小範囲外にある期間」を使用するよりも、「修正制御量或いはその制御部の演算結果が「０」から「０」を含む所定の微小範囲外の値に変化した時点から前記修正制御量或いはその制御部の演算結果が前記微小範囲内に連続して維持される期間が所定期間に達した時点までの期間」を使用した方が好ましい。
【００４１】
これにより、修正制御量或いはその制御部の演算結果が過渡的に極短期間だけ前記微小範囲内の値となる場合（例えば、「０」をまたいで変化する場合等）において、第２制御手段或いはその制御部の「作動状態」と判定され続け得る。換言すれば、「作動状態」と判定されている状態から「作動状態」でないと一旦判定されその極短期間後に再び「作動状態」と判定されるような、判定結果が短い時間間隔で不必要に反転する事態が防止され得る。この結果、基本制御と修正制御との間での制御干渉の発生が適切に抑制され得る。
【００４２】
以上、本発明による車両の制御装置の実施形態について説明した。次に、この実施形態の具体例である本発明による車両の制御装置の各実施例について図面を参照しつつ説明する。
【００４３】
（第１実施例）
図２は、本発明の第１実施例に係る制御装置（以下、「本装置」と称呼する。）を搭載した車両の概略構成を示している。本装置は、前輪操舵制御機構２０と、後輪操舵制御機構３０と、ハイドロリックユニット４０とを含んでいる。
【００４４】
前輪操舵制御機構２０では、運転者に操作されるステアリングホイール２１が、アッパステアリングシャフト２２、ステアリングギヤ比可変機構ＶＧＲＳ（ＳＴＲｆ）、ロアステアリングシャフト２３を介して電動パワーステアリング機構（ＥＰＳ）に接続されている。これにより、ステアリングホイール２１の回転がＥＰＳに伝達されるようになっている。
【００４５】
ＥＰＳは、周知の構成の一つにより構成されていて、ロアステアリングシャフト２３の回転運動をロッド２４の車体左右方向の並進運動に変換するとともに、ロアステアリングシャフト２３から受ける回転トルクを助勢する方向にロッド２４を駆動するアシスト力をモータＭＴｅにより発生するようになっている。以上より、運転者によりステアリングホイール２１が回転操作されると、運転者の操舵トルクが前記アシスト力により助勢されながら、前輪FL,FRが転舵されるようになっている。
【００４６】
ＳＴＲｆは、モータＭＴｆと、図示しないギヤ機構部とから構成されていて、モータＭＴｆの（絶対）回転角度を制御することで、アッパステアリングシャフト２２に対するロアステアリングシャフト２３の相対回転角度（以下、単に「相対角」とも称呼する。）を調整可能となっている。これにより、相対角を制御することで、前輪FL,FRの舵角に対するステアリングホイール２１の回転角度の比率（ステアリングギヤ比）が変更可能に構成されている。
【００４７】
後輪操舵制御機構３０は、後輪操舵機構ＳＴＲｒを有している。ＳＴＲｒは、モータＭＴｒと、図示しないギヤ機構部とから構成されていて、モータＭＴｒの（絶対）回転角度を制御することで、ロッド３１の車体左右方向における位置を調整可能となっている。これにより、モータＭＴｒの回転角度を制御することで、後輪RL,RRの舵角が変更可能に構成されている。
【００４８】
ハイドロリックユニット（ＨＵ）４０は、複数の電磁弁、液圧ポンプ、モータ等を備えた周知の構成を有している。ＨＵ４０は、非制御時では、運転者によるブレーキペダルＢＰの操作に応じたブレーキ液圧を各車輪のホイールシリンダW**にそれぞれ供給し、制御時では、ブレーキペダルＢＰの操作とは独立してホイールシリンダW**内のブレーキ液圧を車輪毎に調整できるようになっている。
【００４９】
なお、各種記号等の末尾に付された「**」は、同各種記号等が何れの車輪に関するものであるかを示すために同各種記号等の末尾に付される「fl」，「fr」等の包括表記であり、「fl」は左前輪、「fr」は右前輪、「rl」は左後輪、「rr」は右後輪を示している。例えば、ホイールシリンダW**は、左前輪ホイールシリンダWfl,
右前輪ホイールシリンダWfr, 左後輪ホイールシリンダWrl, 右後輪ホイールシリンダWrrを包括的に示している。
【００５０】
本装置は、車輪速度Vw**を検出する車輪速度センサ５１**と、ステアリングホイール２１の（中立位置からの）回転角度θswを検出するステアリングホイール回転角度センサ５２と、運転者のステアリングホイール２１の操舵トルクTswを検出する操舵トルクセンサ５３と、車体のヨーレイトYrを検出するヨーレイトセンサ５４と、車体前後方向における前後加速度Gxを検出する前後加速度センサ５５と、車体横方向における横加速度Gyを検出する横加速度センサ５６と、前輪FL,FRの実際の舵角（実前輪舵角δfa）を検出する前輪舵角センサ５７と、後輪RL,RRの実際の舵角（実後輪舵角δra）を検出する後輪舵角センサ５８と、ホイールシリンダ圧力Pw**を検出するホイールシリンダ圧力センサ５９**と、電子制御装置（ＥＣＵ）６０とを備えている。
【００５１】
ＥＣＵ６０は、互いに通信バスＣＢで接続された互いに独立した複数のＥＣＵ（ＥＣＵ０〜４）から構成されたマイクロコンピュータである。ＥＣＵ６０は、ＨＵ４０、及び前記センサ５１〜５９と電気的に接続されている。ＥＣＵ６０内のＥＣＵ０〜４は専用の制御をそれぞれ実行するようになっている。
【００５２】
具体的には、ＥＣＵ０は、車輪速度センサ５１**、前後加速度センサ５５等からの信号に基づいて周知のアンチスキッド制御（ＡＢＳ制御）、トラクション制御（ＴＣＳ制御）等のスリップ抑制制御（制・駆動力制御）を実行する制駆動力制御ユニットである。ＥＣＵ１は、ステアリングホイール回転角度センサ５２、車輪速度センサ５１**等からの信号に基づいて前輪操舵角制御を実行する前輪操舵角制御ユニットである。ＥＣＵ２は、前輪舵角センサ５７、車輪速度センサ５１**等からの信号に基づいて後輪操舵角制御を実行する後輪操舵角制御ユニットである。ＥＣＵ３は、操舵トルクセンサ５３からの信号に基づいて周知の電動パワーステアリング制御を実行するパワーステアリング制御ユニットである。ＥＣＵ４は、図示しないエンジン、オートマチックトランスミッション等のパワートレイン系の制御を実行するパワートレイン系制御ユニットである。
【００５３】
この第１実施例では、前輪操舵角制御ユニットＥＣＵ１が図１の第１制御ユニットＵ１に対応し、制駆動力制御ユニットＥＣＵ０が図１の第２制御ユニットＵ２に対応している。以下、前輪操舵角制御ユニットＥＣＵ１、及び制駆動力制御ユニットＥＣＵ０について説明する。
【００５４】
＜前輪操舵角制御ユニットＥＣＵ１＞
図３は、前輪操舵角制御ユニットＥＣＵ１の機能ブロック図である。図３において、図１における機能ブロックと同じ機能を発揮する機能ブロックについては図１の符号と同じ符号が付されている（他の図も同様）。
【００５５】
図３に示すように、前輪操舵角制御ユニットＥＣＵ１の制御対象（前記第１制御対象）は前輪操舵角δｆであり、モータＭＴｆ（図２を参照）が図１のＡＣＴ１に対応している。前輪操舵角制御手段Ａ１が図１の第１制御手段Ａ１に対応し、前輪操舵角制御手段Ａ１は、図１の第１制御部Ａ１１〜Ａ１ｉに対応する前輪操舵比制御部Ａ１１及び微分ステア制御部Ａ１２と、図１の第１制御手段の制御量演算部Ａ１Ｔに対応する前輪基本操舵角目標値演算部Ａ１Ｔとを備えている。
【００５６】
前輪操舵比制御部Ａ１１は、車輪速度Vw**から周知の式の１つに基づいて計算される車体速度Vxと図４に示したテーブルとに基づいて、前輪舵角に対するステアリングホイール２１の回転角度の比率である前輪操舵比ＳＧｆを求める。これにより、車体速度Vxが小さい場合、前輪操舵比ＳＧｆが小さい値（クイック）に設定されて車両の取り回し性が向上し、車体速度Vxが大きい場合、前輪操舵比ＳＧｆが大きい値（スロー）に設定されて車両の操向安定性が向上する。
【００５７】
微分ステア制御部Ａ１２は、車両のヨー応答性を改善するためにあり、ステアリングホイールの回転角度θswの時間微分値ｄθswと図５に示したテーブルとに基づいて微分ステア角度θswbを求める。
【００５８】
前輪基本操舵角目標値演算部Ａ１Ｔは、前記基本制御量に対応する前輪基本操舵角目標値δftを下記(1)式〜(3)式に従って求める。
【００５９】
δfgt＝θsw/ＳＧｆ  ・・・(1)
δfbt＝θswb/ＳＧｆ  ・・・(2)
δft＝δfgt＋δfbt  ・・・(3)
【００６０】
加算手段Ｂ１は、前記前輪基本操舵角目標値δftと、制駆動力制御ユニットＥＣＵ０から送信される前記修正制御量に対応する前輪修正操舵角目標値δfcとを加算（重畳）して、前記第１目標制御量に対応する前輪操舵角目標値(δft＋δfc)を求める。
【００６１】
電気モータ駆動処理部Ｃ１は、前記前輪操舵角目標値(δft＋δfc)に基づいてモータＭＴｆへ駆動信号を送出する。これにより、前輪舵角δｆが前輪操舵角目標値(δft＋δfc)に基づいて制御される。
【００６２】
正常作動監視手段Ｄ１は、前輪操舵角目標値(δft＋δfc)、或いは、実前輪舵角δfaの時間変化率（変化勾配）が所定の正常判定用基準値よりも大きいか否かを監視し、前輪操舵角目標値(δft＋δfc)、或いは、実前輪舵角δfaの時間変化率（変化勾配）が、前記正常判定用基準値よりも小さい場合は前輪操舵角制御ユニットＥＣＵ１の正常作動判定を行い、前記正常判定用基準値よりも大きい場合は前輪操舵角制御ユニットＥＣＵ１の異常判定を行う。
【００６３】
＜制駆動力制御ユニットＥＣＵ０＞
図６は、制駆動力制御ユニットＥＣＵ０の機能ブロック図である。図６に示すように、制駆動力制御ユニットＥＣＵ０の制御対象（前記第２制御対象）は制・駆動力であり、ＨＵ４０（図２を参照）、及び駆動力アクチュエータ（例えば、スロットル弁駆動用モータ等（図示せず））が図１のＡＣＴ３に対応している。制駆動力制御手段Ａ３が図１の第３制御手段Ａ３に対応し、制駆動力制御手段Ａ３は、図１の第３制御部Ａ３１〜Ａ３ｋに対応するアンチスキッド制御部Ａ３１、トラクション制御部Ａ３２、及び車両安定性制御部Ａ３３と、図１の第３制御手段の制御量演算部Ａ３Ｔに対応する制・駆動力目標値演算部Ａ３Ｔとを備えている。制・駆動力目標値演算部Ａ３Ｔは、前記第２目標制御量に相当する制・駆動力目標値を計算する。アクチュエータ駆動処理部Ｂ３１，Ｂ３２は、図１のアクチュエータ駆動処理部Ｂ３に対応していて、前記制・駆動力目標値に基づいてＨＵ４０及び駆動力アクチュエータへそれぞれ駆動信号を送出する。
【００６４】
制駆動力制御ユニットＥＣＵ０は、更に、図１の第２制御手段Ａ２に対応する前輪修正操舵角制御手段Ａ２を備える。前輪修正操舵角制御手段Ａ２は、車両のヨー方向の運動における安定性を向上させるために、車両のヨー方向の運動状態を表す値に基づいて前輪修正操舵角目標値δfcを出力する。ここで、「ヨー方向の運動状態を表す値」とは、後述するアンダーステア及びオーバーステアの程度を表す運動状態量偏差であり、車両のヨー方向の運動の原因となる左右輪の制動力差、駆動力差である。前輪修正操舵角制御手段Ａ２は、図１の第２制御部Ａ２１〜Ａ２ｊに対応するアンダーステア制御部Ａ２１、オーバーステア制御部Ａ２２、制動時μスプリット制御部Ａ２３、及び駆動時μスプリット制御部Ａ２４と、図１の第２制御手段の制御量演算部Ａ２Ｔに対応する前輪修正操舵角目標値演算部Ａ２Ｔとを備えている。
【００６５】
アンダーステア制御部Ａ２１は、アンダーステア時に、前輪操舵角δｆの増大（従って、前輪スリップ角の増大）を抑制するため、前輪操舵比をより大きい値に変更する。オーバーステア制御部Ａ２２は、オーバーステア時に、旋回内向きのヨーモーメントを減少する、或いは、旋回外向きのヨーモーメントを増加するように前輪操舵角を自動調整する。
【００６６】
制動時μスプリット制御部Ａ２３は、左右輪の制動力差によって生じるヨーモーメントを打ち消すように、前輪操舵角を自動調整する。駆動時μスプリット制御部Ａ２４は、左右輪の駆動力差によって生じるヨーモーメントを打ち消すように、前輪操舵角を自動調整する。
【００６７】
より具体的には、図７に示したように、アンダーステア制御部Ａ２１及びオーバーステア制御部Ａ２２は、目標運動状態量演算部Ａ２１１により計算された目標運動状態量Vmtと、実運動状態量演算部Ａ２１２により計算された実運動状態量Vmaとを比較手段Ａ２１３により比較することで、アンダーステア及びオーバーステアの程度を表す運動状態量偏差ΔVm_us，ΔVm_osをそれぞれ求める。ここで、「運動状態量」とは、車両のヨーレイト、横加速度、車体スリップ角、及び車体スリップ角速度のうちの少なくとも１つを用いて演算される値である。「目標運動状態量Vmt」は、ステアリングホイールの回転角度θsw、車体速度Vx等を用いて計算され、「実運動状態量Vma」は、ヨーレイトYr，横加速度Gy、車体速度Vx等を用いて計算される。
【００６８】
制動時μスプリット制御部Ａ２３は、制動力演算部Ａ２３１により計算された制動力Ｂｆ**から左右輪の制動力差ΔＢｆを求める。駆動時μスプリット制御部Ａ２４は、駆動力演算部Ａ２４１により計算された駆動力Ｄｆ**から左右輪の駆動力差ΔＤｆを求める。
【００６９】
前輪修正操舵角目標値演算部Ａ２Ｔは、前記修正制御量に対応する前輪修正操舵角目標値δfcを、上記運動状態量偏差ΔVm_us，ΔVm_os、制動力差ΔＢｆ、及び駆動力差ΔＤｆに基づいて求める。これにより、前輪修正操舵角目標値δfcは、通常は「０」であり、アンダーステア、オーバーステアを抑制する必要がある場合、左右輪の制・駆動力差に基づくヨーモーメントによる車両の偏向を抑制する必要がある場合など、車両のヨー方向の運動における安定化が必要な場合にのみ「０」以外の値となる。
【００７０】
前輪修正操舵角目標値演算部Ａ２Ｔは、この前輪修正操舵角目標値δfcを前輪操舵角制御ユニットＥＣＵ１内の加算手段Ｂ１に送信するとともに、制御フラグを前輪操舵角制御ユニットＥＣＵ１内の制御停止手段Ｅ１に送信する。このように、前輪基本操舵角目標値δftに基づく基本制御と前輪修正操舵角目標値δfcに基づく修正制御とは、制御対象が同じ前輪操舵角δｆ（ＭＴｆ）である。
【００７１】
＜第１実施例における制御干渉が発生する組み合わせ＞
基本制御に係わる前輪操舵角制御手段Ａ１内の２つの第１制御部のうちの前輪操舵比制御部Ａ１１と、修正制御に係わる前輪修正操舵角制御手段Ａ２内の４つの第２制御部Ａ２１〜Ａ２４の各々との間では、上述した「制御干渉」が発生し得る。この場合における「制御干渉」とは、前輪操舵比制御部Ａ１１の演算結果に基づく前輪舵角δｆ（ＭＴｆ）の変化（指示）方向と、第２制御部Ａ２１〜Ａ２４の各々の演算結果に基づく前輪舵角δｆ（ＭＴｆ）の修正（指示）方向（修正される前輪舵角δｆ（ＭＴｆ）の変化（指示）方向）とが逆になる現象を意味する。以下、それぞれの制御干渉について具体的に順に説明する。
【００７２】
<<前輪操舵比制御部Ａ１１−アンダーステア制御部Ａ２１>>
車両の旋回減速時では、前輪操舵比制御部Ａ１１は、前輪操舵比ＳＧｆを小さく（よりクイックに）する。このことは、ステアリングホイール２１が保舵される場合、前輪が旋回内側方向に転舵指示されることを意味する。一方、アンダーステア制御部Ａ２１は、前輪操舵角δｆの増大を抑制するため、前輪操舵比ＳＧｆを大きく（よりスローに）する。このことは、ステアリングホイール２１が保舵される場合、前輪が旋回外側方向（中立位置に戻る方向）に転舵指示されることを意味する。これにより、上記制御干渉が発生する。このように、アンダーステア制御部Ａ２１が「作動状態」にある場合、前輪操舵比制御部Ａ１１を「停止」し、前輪操舵比ＳＧｆを固定して、前輪の旋回内側方向への転舵を抑制することが好ましい。
【００７３】
<<前輪操舵比制御部Ａ１１−オーバーステア制御部Ａ２２>>
車両の旋回減速時では、上述のごとく、前輪操舵比制御部Ａ１１は、前輪操舵比ＳＧｆを小さく（よりクイックに）する。このことは、ステアリングホイール２１が保舵される場合、前輪が旋回内側方向に転舵指示されることを意味する。一方、オーバーステア制御部Ａ２２は、旋回内向きのヨーモーメントを減少する、或いは、旋回外向きのヨーモーメントを増加するため、前輪を中立位置の方向に、更には旋回外側方向に転舵指示する。これにより、上記制御干渉が発生する。このように、オーバーステア制御部Ａ２２が「作動状態」にある場合、前輪操舵比制御部Ａ１１を「停止」し、前輪操舵比ＳＧｆを固定して、前輪の旋回内側方向への転舵を抑制することが好ましい。
【００７４】
<<前輪操舵比制御部Ａ１１−制動時μスプリット制御部Ａ２３>>
μスプリット路面（車両の左右の路面摩擦係数が異なる路面）を旋回しながら走行している場合（旋回μスプリット路面走行時）において、高路面摩擦係数側が旋回内側に対応する場合、左右輪の制動力差は、旋回内向きのモーメントを発生させる。これを打ち消すため、制動時μスプリット制御部Ａ２３は、前輪を中立位置の方向に、更には旋回外側方向へ転舵指示する。一方、前輪操舵比制御部Ａ１１は、車両の減速により、前輪操舵比ＳＧｆを小さく（よりクイックに）する。即ち、前輪操舵比制御部Ａ１１は、ステアリングホイール２１が保舵される場合、前輪を旋回内側方向へ転舵指示する。これにより、上記制御干渉が発生する。このように、制動時μスプリット制御部Ａ２３が「作動状態」にある場合、前輪操舵比制御部Ａ１１を「停止」し、前輪操舵比ＳＧｆを固定して、前輪の旋回内側方向への転舵を抑制することが好ましい。
【００７５】
<<前輪操舵比制御部Ａ１１−駆動時μスプリット制御部Ａ２４>>
前記「旋回μスプリット路面走行時」において、高路面摩擦係数側が旋回内側に対応する場合、左右輪の駆動力差は、旋回外向きのモーメントを発生させる。これを打ち消すため、駆動時μスプリット制御部Ａ２４は、前輪を旋回内側方向へ転舵指示する。一方、前輪操舵比制御部Ａ１１は、車両の加速により、前輪操舵比ＳＧｆを大きく（よりスローに）する。即ち、前輪操舵比制御部Ａ１１は、ステアリングホイール２１が保舵される場合、前輪を旋回外側方向（中立位置に戻る方向）へ転舵指示する。これにより、上記制御干渉が発生する。このように、駆動時μスプリット制御部Ａ２４が「作動状態」にある場合、前輪操舵比制御部Ａ１１を「停止」し、前輪操舵比ＳＧｆを固定して、前輪の旋回外側方向への転舵を抑制することが好ましい。
【００７６】
＜第１実施例における制御干渉を抑制するための処理＞
第１実施例では、例えば、以下の処理を行って制御干渉が抑制され得る。
１．制御フラグは、前輪修正操舵角制御手段Ａ２が「作動状態」にある場合に「１」に、前輪修正操舵角制御手段Ａ２が「作動状態」にない場合に「０」に設定される。そして、前輪操舵角制御ユニットＥＣＵ１内の制御停止手段Ｅ１は、制御フラグが「１」の場合、第２制御部Ａ２１〜Ａ２４の何れかと制御干渉し得る前輪操舵比制御部Ａ１１のみを「停止」する（上記パターン２に相当）。前輪修正操舵角制御手段Ａ２の修正制御機能、並びに、微分ステア制御部Ａ１２の制御機能は継続して確保され得る。
２．制御フラグは、上記１．と同様に設定される。ここで、前輪操舵角制御において、前輪操舵比制御部Ａ１１は第１制御部の主たる部分である。このため、上記１．の制御フラグが「１」の場合、第１制御部の全て（具体的には、前輪操舵比制御部Ａ１１、及び微分ステア制御部Ａ１２）を「停止」してもよい（上記パターン１に相当）。
３．制御フラグは、第２制御部Ａ２１〜Ａ２４のそれぞれについて設けられ、各制御部について、制御部が「作動状態」にある場合に対応する制御フラグが「１」に設定され同制御部が「作動状態」にない場合に「０」に設定される。制御停止手段Ｅ１は、４個の制御フラグの値に基づいて第１制御部Ａ１１，Ａ１２の全てを「停止」する（上記パターン５に相当）。この場合、例えば、前輪操舵比制御部Ａ１１と制御干渉し得る第２制御部Ａ２１〜Ａ２４のうち少なくとも１つに対応する制御フラグが「１」の場合、第１制御部Ａ１１，Ａ１２の全てが「停止」される。
４．制御フラグは、上記３．と同様に設定される。制御停止手段Ｅ１は、４個の制御フラグの値に基づいて、第１制御部Ａ１１，Ａ１２のうち「作動状態」と判定されている第２制御部と制御干渉し得るものを選択的に「停止」する（上記パターン６に相当）。この場合、例えば、前輪操舵比制御部Ａ１１と制御干渉し得る第２制御部Ａ２１〜Ａ２４のうち少なくとも１つに対応する制御フラグが「１」の場合、前輪操舵比制御部Ａ１１が「停止」される。
【００７７】
以上、説明した「制御干渉を抑制するための処理」が終了した時点以降では、前輪基本操舵角目標値δftは、前輪基本操舵角目標値演算部Ａ１Ｔにより計算される値に徐々に（所定の速度をもって）近づけられていく。
【００７８】
なお、上記１．と同様に設定される制御フラグが「１」のとき、制御停止手段Ｅ１は、正常作動監視手段Ｄ１を「停止」してもよい。また、上記３．と同様に設定される４つの制御フラグの少なくとも１つが「１」の場合、制御停止手段Ｅ１は、正常作動監視手段Ｄ１を「停止」してもよい。これにより、前輪基本操舵角目標値δftに前輪修正操舵角目標値δfcが急激に重畳されることによる前輪操舵角目標値(δft＋δfc)、或いは、実前輪舵角δfaの時間変化率（変化勾配）の急激な増大に伴って前輪操舵角制御ユニットＥＣＵ１が正常であるにもかかわらず異常であるとの誤判定がなされる事態が抑制され得る。
【００７９】
（第２実施例）
次に、本発明の第２実施例に係る制御装置について説明する。この第２実施例では、後輪操舵角制御ユニットＥＣＵ２が図１の第１制御ユニットＵ１に対応し、制駆動力制御ユニットＥＣＵ０が図１の第２制御ユニットＵ２に対応している。以下、後輪操舵角制御ユニットＥＣＵ２、及び制駆動力制御ユニットＥＣＵ０について説明する。
【００８０】
＜後輪操舵角制御ユニットＥＣＵ２＞
図８は、後輪操舵角制御ユニットＥＣＵ２の機能ブロック図である。図８に示すように、後輪操舵角制御ユニットＥＣＵ２の制御対象（前記第１制御対象）は後輪操舵角δｒであり、モータＭＴｒ（図２を参照）が図１のＡＣＴ１に対応している。後輪操舵角制御手段Ａ１が図１の第１制御手段Ａ１に対応し、後輪操舵角制御手段Ａ１は、図１の第１制御部Ａ１１〜Ａ１ｉに対応する後輪操舵比制御部Ａ１１及び回頭性制御部Ａ１２と、図１の第１制御手段の制御量演算部Ａ１Ｔに対応する後輪基本操舵角目標値演算部Ａ１Ｔとを備えている。
【００８１】
後輪操舵比制御部Ａ１１は、前記車体速度Vxと図９に示したテーブルとに基づいて、前輪舵角に対する後輪舵角の比率である後輪操舵比ＳＧｒを求める。これにより、車両の重心のスリップ角がゼロに、或いは低減され得、車両のヨーレイトと横加速度の位相差が低減され得る。
【００８２】
回頭性制御部Ａ１２は、車両の回頭性を改善するためにあり、具体的には、位相遅れ制御、或いは位相反転制御が行われる。これらの制御では、ステアリングホイールの回転角度θswの時間微分値ｄθswと図１０に示したテーブルとに基づいて遅れ時間τｐｈが求められる。そして、位相遅れ制御では、前輪の操舵に対して後輪を同位相に転舵する場合において、後輪の操舵時期を遅れ時間τｐｈだけ遅らせて車両のヨーが発生し易くされる。位相反転制御では、前輪の操舵に対して後輪を同位相に転舵する場合において上記遅れ時間τｐｈに対応する期間だけ後輪が逆位相方向に操舵されて、車両のヨーが積極的に発生させられる。
【００８３】
後輪基本操舵角目標値演算部Ａ１Ｔは、下記(4)式に従って求められる値δrgtに上記位相遅れ制御、或いは位相反転制御に対応する処理を施して前記基本制御量に対応する後輪基本操舵角目標値δrtを求める。ここで、δfaは、前記実前輪舵角である。
【００８４】
δrgt＝δfa・ＳＧｒ  ・・・(4)
【００８５】
加算手段Ｂ１は、前記後輪基本操舵角目標値δrtと、制駆動力制御ユニットＥＣＵ０から送信される前記修正制御量に対応する後輪修正操舵角目標値δrcとを加算（重畳）して、前記第１目標制御量に対応する後輪操舵角目標値(δrt＋δrc)を求める。
【００８６】
電気モータ駆動処理部Ｃ１は、前記後輪操舵角目標値(δrt＋δrc)に基づいてモータＭＴｒへ駆動信号を送出する。これにより、後輪舵角δｒが後輪操舵角目標値(δrt＋δrc)に基づいて制御される。
【００８７】
正常作動監視手段Ｄ１は、後輪操舵角目標値(δrt＋δrc)、或いは、実後輪舵角δraの時間変化率（変化勾配）が所定の正常判定用基準値よりも大きいか否かを監視し、後輪操舵角目標値(δrt＋δrc)、或いは、実後輪舵角δraの時間変化率（変化勾配）が、前記正常判定用基準値よりも小さい場合は後輪操舵角制御ユニットＥＣＵ２の正常作動判定を行い、前記正常判定用基準値よりも大きい場合は後輪操舵角制御ユニットＥＣＵ２の異常判定を行う。
【００８８】
＜制駆動力制御ユニットＥＣＵ０＞
図１１は、制駆動力制御ユニットＥＣＵ０の機能ブロック図である。図１２は、図１１に示した、アンダーステア制御部Ａ２１、オーバーステア制御部Ａ２２、制動時μスプリット制御部Ａ２３、及び駆動時μスプリット制御部Ａ２４の詳細を示した機能ブロック図である。
【００８９】
図１１と図６との比較、及び、図１２と図７との比較から理解できるように、第２実施例における制駆動力制御ユニットＥＣＵ０は、上記第１実施例における制駆動力制御ユニットＥＣＵ０において、前輪修正操舵角目標値δfcを計算する前輪修正操舵角制御手段Ａ２を、後輪修正操舵角目標値δrcを計算する後輪修正操舵角制御手段Ａ２に置き換えたものである。従って、この点以外に関して第２実施例における制駆動力制御ユニットＥＣＵ０についての詳細な説明は省略する。
【００９０】
後輪修正操舵角制御手段Ａ２は、車両のヨー方向の運動における安定性を向上させるために、車両のヨー方向の運動状態を表す値に基づいて後輪修正操舵角目標値δrcを出力する。ここで、「ヨー方向の運動状態を表す値」とは、後述するアンダーステア及びオーバーステアの程度を表す運動状態量偏差であり、車両のヨー方向の運動の原因となる左右輪の制動力差、駆動力差である。後輪修正操舵角制御手段Ａ２は、図１の第２制御部Ａ２１〜Ａ２ｊに対応するアンダーステア制御部Ａ２１、オーバーステア制御部Ａ２２、制動時μスプリット制御部Ａ２３、及び駆動時μスプリット制御部Ａ２４と、図１の第２制御手段の制御量演算部Ａ２Ｔに対応する後輪修正操舵角目標値演算部Ａ２Ｔとを備えている。
【００９１】
アンダーステア制御部Ａ２１は、アンダーステア時に、旋回外向きのヨーモーメントを減少する、或いは、旋回内向きのヨーモーメントを増加するように、後輪操舵角を自動調整する。オーバーステア制御部Ａ２２は、オーバーステア時に、旋回内向きのヨーモーメントを減少する、或いは、旋回外向きのヨーモーメントを増加するように、後輪操舵角を自動調整する。
【００９２】
制動時μスプリット制御部Ａ２３は、左右輪の制動力差によって生じるヨーモーメントを打ち消すように、後輪操舵角を自動調整する。駆動時μスプリット制御部Ａ２４は、左右輪の駆動力差によって生じるヨーモーメントを打ち消すように、後輪操舵角を自動調整する。
【００９３】
後輪修正操舵角目標値演算部Ａ２Ｔは、前記修正制御量に対応する後輪修正操舵角目標値δrcを、上記運動状態量偏差ΔVm_us，ΔVm_os、制動力差ΔＢｆ、及び駆動力差ΔＤｆ（図１２を参照）に基づいて求める。これにより、後輪修正操舵角目標値δrcは、通常は「０」であり、アンダーステア、オーバーステアを抑制する必要がある場合、左右輪の制駆動力差に基づくヨーモーメントによる車両の偏向を抑制する必要がある場合など、車両の安定化が必要な場合にのみ「０」以外の値となる。
【００９４】
後輪修正操舵角目標値演算部Ａ２Ｔは、この後輪修正操舵角目標値δrcを後輪操舵角制御ユニットＥＣＵ２内の加算手段Ｂ１に送信するとともに、制御フラグを後輪操舵角制御ユニットＥＣＵ２内の制御停止手段Ｅ１に送信する。このように、後輪基本操舵角目標値δrtに基づく基本制御と後輪修正操舵角目標値δrcに基づく修正制御とは、制御対象が同じ後輪操舵角δｒ（ＭＴｒ）である。
【００９５】
＜第２実施例における制御干渉が発生する組み合わせ＞
基本制御に係わる前輪操舵角制御手段Ａ１内の２つの第１制御部のうちの後輪操舵比制御部Ａ１１と、修正制御に係わる後輪修正操舵角制御手段Ａ２内の第２制御部Ａ２１〜Ａ２４のうちのアンダーステア制御部Ａ２１、制動時μスプリット制御部Ａ２３、及び駆動時μスプリット制御部Ａ２４の各々との間では、上述した「制御干渉」が発生し得る。この場合における「制御干渉」とは、後輪操舵比制御部Ａ１１の演算結果に基づく後輪舵角δｒ（ＭＴｒ）の変化（指示）方向と、第２制御部Ａ２１，Ａ２３，Ａ２４の各々の演算結果に基づく後輪舵角δｒ（ＭＴｒ）の修正（指示）方向（修正される後輪舵角δｒ（ＭＴｒ）の変化（指示）方向）とが逆になる現象を意味する。以下、それぞれの制御干渉について具体的に順に説明する。
【００９６】
<<後輪操舵比制御部Ａ１１−アンダーステア制御部Ａ２１>>
車両の旋回減速時では、上述したように、ステアリングホイール２１が保舵される場合、前輪が旋回内側方向に転舵指示される。従って、後輪操舵比制御部Ａ１１は、後輪を前輪と同位相方向の旋回内側方向に転舵指示する。一方、アンダーステア制御部Ａ２１は、旋回外向きのヨーモーメントを減少する、或いは、旋回内向きのヨーモーメントを増加するため、後輪を旋回外側方向（前輪と逆位相方向）に転舵指示する。これにより、上記制御干渉が発生する。このように、アンダーステア制御部Ａ２１が「作動状態」にある場合、後輪操舵比制御部Ａ１１を「停止」し、後輪操舵比ＳＧｒを「０」として、後輪の旋回内側方向への転舵を抑制することが好ましい。
【００９７】
<<後輪操舵比制御部Ａ１１−制動時μスプリット制御部Ａ２３>>
制動時μスプリット制御部Ａ２３は、左右輪の制動力差によるヨーモーメント（高路面摩擦係数側方向）を打ち消すため、後輪を高路面摩擦係数側方向（前輪と逆位相方向）に転舵指示する。一方、前輪は、左右輪の制動力差によるヨーモーメント（高路面摩擦係数側方向）を打ち消すため、低路面摩擦係数側方向に操舵される。これに伴い、後輪操舵比制御部Ａ１１は、後輪を前輪と同位相方向の低路面摩擦係数側方向に転舵指示する。これにより、上記制御干渉が発生する。このように、制動時μスプリット制御部Ａ２３が「作動状態」にある場合、後輪操舵比制御部Ａ１１を「停止」し、後輪操舵比ＳＧｆを「０」として、後輪の低路面摩擦係数側方向への転舵を抑制することが好ましい。
【００９８】
<<後輪操舵比制御部Ａ１１−駆動時μスプリット制御部Ａ２４>>
駆動時μスプリット制御部Ａ２４は、左右輪の駆動力差によるヨーモーメント（低路面摩擦係数側方向）を打ち消すため、後輪を低路面摩擦係数側方向（前輪と逆位相方向）に転舵指示する。一方、前輪は、左右輪の駆動力差によるヨーモーメント（低路面摩擦係数側方向）を打ち消すため、高路面摩擦係数側方向に操舵される。これに伴い、後輪操舵比制御部Ａ１１は、後輪を前輪と同位相方向の高路面摩擦係数側方向に転舵指示する。これにより、上記制御干渉が発生する。このように、駆動時μスプリット制御部Ａ２４が「作動状態」にある場合、後輪操舵比制御部Ａ１１を「停止」し、後輪操舵比ＳＧｆを「０」として、後輪の高路面摩擦係数側方向への転舵を抑制することが好ましい。
【００９９】
＜第２実施例における制御干渉を抑制するための処理＞
第２実施例では、例えば、以下の処理を行って制御干渉が抑制され得る。
１．制御フラグは、後輪修正操舵角制御手段Ａ２が「作動状態」にある場合に「１」に、後輪修正操舵角制御手段Ａ２が「作動状態」にない場合に「０」に設定される。そして、後輪操舵角制御ユニットＥＣＵ２内の制御停止手段Ｅ１は、制御フラグが「１」の場合、第２制御部Ａ２１〜Ａ２４の何れかと制御干渉し得る後輪操舵比制御部Ａ１１のみを「停止」する（上記パターン２に相当）。後輪修正操舵角制御手段Ａ２の修正制御機能、並びに、回頭性制御部Ａ１２の制御機能は継続して確保され得る。
２．制御フラグは、上記１．と同様に設定される。ここで、後輪操舵角制御において、回頭性制御として位相遅れ制御が実行される場合、回頭性制御部Ａ１２は、後輪操舵比制御Ａ１１に付随する制御部である。このため、上記１．の制御フラグが「１」の場合、第１制御部の全て（具体的には、後輪操舵比制御部Ａ１１、及び回頭性制御部Ａ１２）を「停止」してもよい（上記パターン１に相当）。
３．制御フラグは、第２制御部Ａ２１〜Ａ２４のそれぞれについて設けられ、各制御部について、制御部が「作動状態」にある場合に対応する制御フラグが「１」に設定され同制御部が「作動状態」にない場合に「０」に設定される。制御停止手段Ｅ１は、４個の制御フラグの値に基づいて第１制御部Ａ１１，Ａ１２の全てを「停止」する（上記パターン５に相当）。この場合、例えば、後輪操舵比制御部Ａ１１と制御干渉し得る第２制御部Ａ２１，Ａ２３，Ａ２４のうち少なくとも１つに対応する制御フラグが「１」の場合、第１制御部Ａ１１，Ａ１２の全てが「停止」される。
４．制御フラグは、上記３．と同様に設定される。制御停止手段Ｅ１は、４個の制御フラグの値に基づいて、第１制御部Ａ１１，Ａ１２のうち「作動状態」と判定されている第２制御部と制御干渉し得るものを選択的に「停止」する（上記パターン６に相当）。この場合、例えば、後輪操舵比制御部Ａ１１と制御干渉し得る第２制御部Ａ２１，Ａ２３，Ａ２４のうち少なくとも１つに対応する制御フラグが「１」の場合、後輪操舵比制御部Ａ１１が「停止」される。
５．制御フラグは、第１制御部の何れかと制御干渉し得る第２制御部Ａ２１，Ａ２３，Ａ２４のうちの少なくとも１つが「作動状態」にある場合に「１」に設定され、そうでない場合に「０」に設定される。制御停止手段Ｅ１は、制御フラグが「１」の場合、第１制御部Ａ１１，Ａ１２の全てを「停止」する（上記パターン３に相当）。
６．或いは、制御停止手段Ｅ１は、上記５．の制御フラグが「１」の場合、第２制御部Ａ２１〜Ａ２４の何れかと制御干渉し得る後輪操舵比制御部Ａ１１のみを「停止」する（上記パターン４に相当）。
【０１００】
以上、説明した「制御干渉を抑制するための処理」が終了した時点以降では、後輪基本操舵角目標値δrtは、後輪基本操舵角目標値演算部Ａ１Ｔにより計算される値に徐々に（所定の速度をもって）近づけられていく。
【０１０１】
なお、上記１．と同様に設定される制御フラグが「１」のとき、制御停止手段Ｅ１は、正常作動監視手段Ｄ１を「停止」してもよい。また、上記３．と同様に設定される４つの制御フラグの少なくとも１つが「１」の場合、制御停止手段Ｅ１は、正常作動監視手段Ｄ１を「停止」してもよい。これにより、後輪基本操舵角目標値δrtに後輪修正操舵角目標値δrcが急激に重畳されることによる後輪操舵角目標値(δrt＋δrc)、或いは、実後輪舵角δfrの時間変化率（変化勾配）の急激な増大に伴って後輪操舵角制御ユニットＥＣＵ２が正常であるにもかかわらず異常であるとの誤判定がなされる事態が抑制され得る。
【０１０２】
（第３実施例）
次に、本発明の第３実施例に係る制御装置について説明する。この第３実施例では、パワーステアリング制御ユニットＥＣＵ３が図１の第１制御ユニットＵ１に対応し、制駆動力制御ユニットＥＣＵ０が図１の第２制御ユニットＵ２に対応している。以下、パワーステアリング制御ユニットＥＣＵ３、及び制駆動力制御ユニットＥＣＵ０について説明する。
【０１０３】
＜パワーステアリング制御ユニットＥＣＵ３＞
図１３は、パワーステアリング制御ユニットＥＣＵ３の機能ブロック図である。図１３に示すように、パワーステアリング制御ユニットＥＣＵ３の制御対象（前記第１制御対象）は操舵トルクＴであり、モータＭＴｅ（図２を参照）が図１のＡＣＴ１に対応している。パワーステアリング制御手段Ａ１が図１の第１制御手段Ａ１に対応し、パワーステアリング制御手段Ａ１は、図１の第１制御部Ａ１１〜Ａ１ｉに対応する、操舵力助勢制御部Ａ１１、慣性補償制御部Ａ１２、中立位置復帰制御部Ａ１３、及び操舵減衰制御部Ａ１４と、図１の第１制御手段の制御量演算部Ａ１Ｔに対応する基本アシストトルク目標値演算部Ａ１Ｔとを備えている。
【０１０４】
操舵力助勢制御部Ａ１１は、操舵トルクセンサ５３により得られる操舵トルクTsw、及び、前記車体速度Vxに基づいて運転者によるステアリングホイール２１の操作力を軽減する。車体速度Vxが小さいときには前記操作力の軽減量が大きい値に設定され、車体速度Vxが増大するほど前記軽減量がより小さい値に設定される。慣性補償制御部Ａ１２は、パワーステアリング制御に使用されるモータＭＴｅの慣性による応答遅れを補償する。中立位置復帰制御部Ａ１３は、ステアリングホイール２１の中立位置への戻りを向上させる。操舵減衰制御部Ａ１４は、ステアリングホイール２１の戻り過ぎを抑制し、操舵の収束性を向上させる。
【０１０５】
基本アシストトルク目標値演算部Ａ１Ｔは、第１制御部Ａ１１〜Ａ１４の演算結果に基づいて前記基本制御量に対応する基本アシストトルク目標値Ttを求める。
【０１０６】
加算手段Ｂ１は、前記基本アシストトルク目標値Ttと、制駆動力制御ユニットＥＣＵ０から送信される前記修正制御量に対応する修正アシストトルク目標値Tcとを加算（重畳）して、前記第１目標制御量に対応するアシストトルク目標値(Tt＋Tc)を求める。
【０１０７】
電気モータ駆動処理部Ｃ１は、前記アシストトルク目標値(Tt＋Tc)に基づいてモータＭＴｅへ駆動信号を送出する。これにより、操舵トルクＴがアシストトルク目標値(Tt＋Tc)に基づいて制御される。
【０１０８】
正常作動監視手段Ｄ１は、アシストトルク目標値(Tt＋Tc)、或いは、操舵トルクTswの時間変化率（変化勾配）が所定の正常判定用基準値よりも大きいか否かを監視し、アシストトルク目標値(Tt＋Tc)、或いは、操舵トルクTswの時間変化率（変化勾配）が、前記正常判定用基準値よりも小さい場合はパワーステアリング制御ユニットＥＣＵ３の正常作動判定を行い、前記正常判定用基準値よりも大きい場合はパワーステアリング制御ユニットＥＣＵ３の異常判定を行う。
【０１０９】
＜制駆動力制御ユニットＥＣＵ０＞
図１４は、制駆動力制御ユニットＥＣＵ０の機能ブロック図である。図１５は、図１４に示した、アンダーステア制御部Ａ２１、オーバーステア制御部Ａ２２、制動時μスプリット制御部Ａ２３、及び駆動時μスプリット制御部Ａ２４の詳細を示した機能ブロック図である。
【０１１０】
図１４と図６との比較、及び、図１５と図７との比較から理解できるように、第３実施例における制駆動力制御ユニットＥＣＵ０は、上記第１実施例における制駆動力制御ユニットＥＣＵ０において、前輪修正操舵角目標値δfcを計算する前輪修正操舵角制御手段Ａ２を、修正アシストトルク目標値Tcを計算する修正アシストトルク制御手段Ａ２に置き換えたものである。従って、この点以外に関して第３実施例における制駆動力制御ユニットＥＣＵ０についての詳細な説明は省略する。
【０１１１】
修正アシストトルク制御手段Ａ２は、車両のヨー方向の運動における安定性を向上させるために、車両のヨー方向の運動状態を表す値に基づいて修正アシストトルク目標値Tcを出力する。ここで、「ヨー方向の運動状態を表す値」とは、後述するアンダーステア及びオーバーステアの程度を表す運動状態量偏差であり、車両のヨー方向の運動の原因となる左右輪の制動力差、駆動力差である。修正アシストトルク制御手段Ａ２は、図１の第２制御部Ａ２１〜Ａ２ｊに対応するアンダーステア制御部Ａ２１、オーバーステア制御部Ａ２２、制動時μスプリット制御部Ａ２３、及び駆動時μスプリット制御部Ａ２４と、図１の第２制御手段の制御量演算部Ａ２Ｔに対応する修正アシストトルク目標値演算部Ａ２Ｔとを備えている。
【０１１２】
アンダーステア制御部Ａ２１は、アンダーステア時に、前輪操舵角が過大となることを抑制するため、前輪操舵角の増大方向の操舵反力を増大するように操舵トルクを調整する。オーバーステア制御部Ａ２２は、オーバーステア時に、前輪操舵角が減少するように（カウンタステア操作を促すように）前輪操舵角の減少方向への操舵トルクを付与する。
【０１１３】
制動時μスプリット制御部Ａ２３は、左右輪の制動力差によって生じるヨーモーメントを打ち消す方向のステアリングホイール操作を促すように（カウンタステア操作を促すように）操舵トルクを付与する。駆動時μスプリット制御部Ａ２４は、左右輪の駆動力差によって生じるヨーモーメントを打ち消す方向のステアリングホイール操作を促すように（カウンタステア操作を促すように）操舵トルクを付与する。
【０１１４】
修正アシストトルク目標値演算部Ａ２Ｔは、前記修正制御量に対応する修正アシストトルク目標値Tcを、上記運動状態量偏差ΔVm_us，ΔVm_os、制動力差ΔＢｆ、及び駆動力差ΔＤｆ（図１５を参照）に基づいて求める。これにより、修正アシストトルク目標値Tcは、通常は「０」であり、アンダーステア、オーバーステアを抑制する必要がある場合、左右輪の制駆動力差に基づくヨーモーメントによる車両の偏向を抑制する必要がある場合など、車両の安定化が必要な場合にのみ「０」以外の値となる。
【０１１５】
修正アシストトルク目標値演算部Ａ２Ｔは、この修正アシストトルク目標値Tcをパワーステアリング制御ユニットＥＣＵ３内の加算手段Ｂ１に送信するとともに、制御フラグをパワーステアリング制御ユニットＥＣＵ３内の制御停止手段Ｅ１に送信する。このように、基本アシストトルク目標値Ttに基づく基本制御と修正アシストトルク目標値Tcに基づく修正制御とは、制御対象が同じ操舵トルクＴ（ＭＴｅ）である。
【０１１６】
＜第３実施例における制御干渉が発生する組み合わせ＞
基本制御に係わるパワーステアリング制御手段Ａ１内の４つの第１制御部のうちの操舵減衰制御部Ａ１４と、修正制御に係わる修正アシストトルク制御手段Ａ２内の第２制御部Ａ２１〜Ａ２４のうちのオーバーステア制御部Ａ２２との間では、上述した「制御干渉」が発生し得る。この場合における「制御干渉」とは、操舵減衰制御部Ａ１４の演算結果に基づく操舵トルクＴ（ＭＴｅ）の変化（指示）方向と、オーバーステア制御部Ａ２２の演算結果に基づく操舵トルクＴ（ＭＴｅ）の修正（指示）方向（修正される操舵トルクＴ（ＭＴｅ）の変化（指示）方向）とが逆になる現象を意味する。以下、この制御干渉について具体的に説明する。
【０１１７】
<<操舵減衰制御部Ａ１４−オーバーステア制御部Ａ２２>>
操舵減衰制御部Ａ１４は、ステアリングホイール２１が中立位置へ向けて戻る過程において、ステアリングホイールの戻り過ぎを抑制するために、前輪操舵角の増大方向へ操舵トルクを付与する指示を行う。一方、オーバーステア制御部Ａ２２は、前輪操舵角が減少するように（カウンタステア操作を促すように）前輪操舵角の減少方向へ操舵トルクを付与する指示を行う。これにより、上記制御干渉が発生する。このように、オーバーステア制御部Ａ２２が「作動状態」にある場合、操舵減衰制御部Ａ１４を「停止」し、前輪操舵角の増大方向への操舵トルクの付与を抑制することが好ましい。
【０１１８】
＜第３実施例における制御干渉を抑制するための処理＞
第３実施例では、例えば、以下の処理を行って制御干渉が抑制され得る。
１．制御フラグは、修正アシストトルク制御手段Ａ２が「作動状態」にある場合に「１」に、修正アシストトルク制御手段Ａ２が「作動状態」にない場合に「０」に設定される。そして、パワーステアリング制御ユニットＥＣＵ３内の制御停止手段Ｅ１は、制御フラグが「１」の場合、第２制御部Ａ２１〜Ａ２４の何れかと制御干渉し得る操舵減衰制御部Ａ１４のみを「停止」する（上記パターン２に相当）。修正アシストトルク制御手段Ａ２の修正制御機能、並びに、第１制御部Ａ１１，Ａ１２，Ａ１３の制御機能は継続して確保され得る。
２．制御フラグは、第２制御部Ａ２１〜Ａ２４のそれぞれについて設けられ、各制御部について、制御部が「作動状態」にある場合に対応する制御フラグが「１」に設定され同制御部が「作動状態」にない場合に「０」に設定される。制御停止手段Ｅ１は、４個の制御フラグの値に基づいて、操舵減衰制御部Ａ１４のみを「停止」する（上記パターン６に相当）。この場合、例えば、操舵減衰制御部Ａ１４と制御干渉し得るオーバーステア制御部Ａ２２に対応する制御フラグが「１」の場合、操舵減衰制御部Ａ１４が「停止」される。
【０１１９】
以上、説明した「制御干渉を抑制するための処理」が終了した時点以降では、基本アシストトルク目標値Ttは、基本アシストトルク目標値演算部Ａ１Ｔにより計算される値に徐々に（所定の速度をもって）近づけられていく。
【０１２０】
なお、上記１．と同様に設定される制御フラグが「１」のとき、制御停止手段Ｅ１は、正常作動監視手段Ｄ１を「停止」してもよい。また、上記２．と同様に設定される４つの制御フラグの少なくとも１つが「１」の場合、制御停止手段Ｅ１は、正常作動監視手段Ｄ１を「停止」してもよい。これにより、基本アシストトルク目標値Ttに修正アシストトルク目標値Tcが急激に重畳されることによるアシストトルク目標値(Tt＋Tc)、或いは、操舵トルクTswの時間変化率（変化勾配）の急激な増大に伴ってパワーステアリング制御ユニットＥＣＵ３が正常であるにもかかわらず異常であるとの誤判定がなされる事態が抑制され得る。
【０１２１】
本発明は、上記実施形態、並びに、上記第１〜第３実施例に限定されることはなく、本発明の範囲内において種々の変形例を採用することができる。例えば、上記実施形態、並びに、上記第１〜第３実施例においては、第２制御ユニットＵ２内に、第２制御手段Ａ２と第３制御手段Ａ３とが備えられているが、第２制御ユニットＵ２内に第２制御手段Ａ２が備えられる一方で第１、第２制御ユニットＵ１，Ｕ２とは独立した第３制御ユニットＵ３内に第３制御手段Ａ３が備えられてもよい。
【０１２２】
また、上記第１〜第３実施例においては、前輪操舵制御機構２０において、ステアリングホイール２１と操舵輪FL,FRとが機械的に接続されているが、ステアリングホイール２１と操舵輪FL,FRとが機械的に接続されていない所謂ステア・バイ・ワイヤ方式の前輪操舵制御機構（即ち、ステアリングホイール２１の回転角度θswを示す電気信号に基づいて前輪操舵制御を行う機構）を備えた車両に対しても、本発明は適用可能である。この場合、操舵操作部材として、ステアリングホイール２１に代えて棒状部材（所謂、ジョイスティック）が使用されてもよい。
【図面の簡単な説明】
【０１２３】
【図１】本発明の実施形態に係る車両の制御装置の機能ブロック図である。
【図２】本発明の第１実施例に係る車両の制御装置を搭載した車両の概略構成図である。
【図３】図２に示した前輪操舵角制御ユニットに関する機能ブロック図である。
【図４】車体速度と前輪操舵比との関係を規定したテーブルを示したグラフである。
【図５】ステアリングホイールの回転角度の時間微分値と微分ステア角度との関係を規定したテーブルを示したグラフである。
【図６】図２に示した制駆動力制御ユニットに関する機能ブロック図である。
【図７】図６に示した第２制御部の詳細についての機能ブロック図である。
【図８】本発明の第２実施例に係る車両の制御装置の後輪操舵角制御ユニットに関する機能ブロック図である。
【図９】車体速度と後輪操舵比との関係を規定したテーブルを示したグラフである。
【図１０】ステアリングホイールの回転角度の時間微分値と位相遅れ時間との関係を規定したテーブルを示したグラフである。
【図１１】本発明の第２実施例に係る車両の制御装置の制駆動力制御ユニットに関する機能ブロック図である。
【図１２】図１１に示した第２制御部の詳細についての機能ブロック図である。
【図１３】本発明の第３実施例に係る車両の制御装置のパワーステアリング制御ユニットに関する機能ブロック図である。
【図１４】本発明の第３実施例に係る車両の制御装置の制駆動力制御ユニットに関する機能ブロック図である。
【図１５】図１４に示した第２制御部の詳細についての機能ブロック図である。
【符号の説明】
【０１２４】
Ｕ１，Ｕ２，Ｕ３…第１、第２、第３制御ユニット、Ａ１，Ａ２，Ａ３…第１、第２、第３制御手段、Ａ１１〜Ａ１ｉ…第１制御部、Ａ２１〜Ａ２ｊ…第２制御部、Ａ３１〜Ａ３ｋ…第３制御部、Ｅ１…制御停止手段
【図１】
2008110708.tif 000003
【図２】
2008110708.tif 000004
【図３】
2008110708.tif 000005
【図４】
2008110708.tif 000006
【図５】
2008110708.tif 000007
【図６】
2008110708.tif 000008
【図７】
2008110708.tif 000009
【図８】
2008110708.tif 000010
【図９】
2008110708.tif 000011
【図１０】
2008110708.tif 000012
【図１１】
2008110708.tif 000013
【図１２】
2008110708.tif 000014
【図１３】
2008110708.tif 000015
【図１４】
2008110708.tif 000016
【図１５】
2008110708.tif 000017